(57)【特許請求の範囲】
【請求項１】
振動を計測する振動計測手段と、
前記振動計測手段により計測された振動を振動計測値として表示する表示部と、
前記振動計測手段により計測された振動に基づく振動計測値が、予め設定された閾値を上回るか否かを判断する判断手段と、
前記判断手段により振動計測値が閾値を上回ると判断された場合に、所定の警告報知を行う警報手段と、を備えた振動警報装置において、
当該振動警報装置が起動した場合に、所定時間、前記振動計測手段に振動を計測させる制御手段と、
前記制御手段によって、前記振動計測手段が計測した振動に基づく振動計測値の最大値を記憶する記憶手段と、
前記振動計測手段が計測した振動に基づく振動計測値と、前記記憶手段により記憶された振動計測値の最大値と、を前記表示部にて表示する振動計測値表示制御手段と、
振動計測値と当該振動警報装置の設置場所としての相応しさを示す設置環境レベルとを対応付けたレベル判定用データを記憶するレベル判定用データ記憶手段と、
前記記憶手段により記憶された振動計測値の最大値と、前記レベル判定用データの振動値とを比較して、設置環境レベルを判定する判定手段と、
前記判定手段により判定された設置環境レベルを前記表示部に表示する設置環境レベル表示制御手段と、
を備えることを特徴とする振動警報装置。
【請求項２】
請求項１記載の振動警報装置において、
当該振動警報装置が起動した後、所定時間、前記振動計測手段に振動を計測させる計測スイッチと、
前記制御手段は、前記計測スイッチの押下に応じて、所定時間、前記振動計測手段に振動を計測させ、
前記計測スイッチが押下された後、前記振動計測手段が振動を計測する度に前記記憶手段に記憶された振動計測値の最大値と比較して、当該振動計測値が最大値を超えた場合には前記記憶手段の最大値を更新する更新手段と、
を備えることを特徴とする振動警報装置。
【請求項３】
請求項１又は２記載の振動警報装置において、
前記振動計測手段は、
振動を電気信号として検出する振動検出器と、
前記振動検出器から検出された電気信号を増幅するアンプと、
前記アンプにより増幅された信号のうち所定値以下の周波数のみを通過させ出力するローパスフィルタと、
前記ローパスフィルタより出力される信号をデジタル化し、振動計測値として出力するＡ／Ｄ変換器と、を含んで構成されており、
前記制御手段は、前記アンプにより増幅された信号を、ローパスフィルタを介さないで前記Ａ／Ｄ変換器に出力させることを特徴とする振動警報装置。
【発明の詳細な説明】
【技術分野】
【０００１】
本発明は、振動警報装置に関する。
【背景技術】
【０００２】
従来、地震等の振動を計測し、その計測した振動に応じて警報を出力する機能を有する振動警報装置が知られている。ところで、この振動警報装置が、機械動力室や発電所の建屋などの機械的振動を伴う場所に設置されている場合に、その機械的振動に起因する環境ノイズにより、振動警報装置の正確な振動計測が妨げられるばかりでなく、誤警報を発するおそれがある。
【０００３】
そこで、地震等による振動に比べて微細な振動を検出して記録する微動記録機能や、環境ノイズを計測することが出来るメンテナンス機能を備える振動警報装置が一般的に知られている。
【０００４】
また、あらかじめ地震未発生時の振動測定を行ない、測定結果の最大値を記憶しておき、地震発生時の測定値がその最大値を超えたときにのみ測定処理を実行する地震監視端末装置が知られている（例えば、特許文献１参照）。
【特許文献１】特開平６−２４３３６５号公報
【発明の開示】
【発明が解決しようとする課題】
【０００５】
しかしながら、従来の振動警報装置においては、地震未発生時の環境ノイズ測定をユーザが事前に実行しておく必要があるという問題があった。つまり、振動警報装置の設置は慣例として工事業者が行うことが知られているが、この振動警報装置の第１ユーザたる工事業者が振動警報装置を設置する際に、上記のような環境ノイズに対応する機能の存在を知らない、或いは扱いに熟知していない場合が多いため、事前の環境ノイズ対策がなされず、振動警報装置の誤観測や誤警報といった問題が解決出来ない場合があった。
【０００６】
本発明の課題は、ユーザが環境ノイズに対応する機能の存在を知らない、或いは扱いに熟知していない場合であっても、環境ノイズによる誤観測や誤警報を未然に防止することを可能にする振動警報装置を提供することにある。
【課題を解決するための手段】
【０００７】
以上の課題を解決するため、請求項１に記載の発明は、振動警報装置において、
振動を計測する振動計測手段と、
前記振動計測手段により計測された振動を振動計測値として表示する表示部と、
前記振動計測手段により計測された振動に基づく振動計測値が、予め設定された閾値を上回るか否かを判断する判断手段と、
前記判断手段により振動計測値が閾値を上回ると判断された場合に、所定の警告報知を行う警報手段と、を備えた振動警報装置において、
当該振動警報装置が起動した場合に、所定時間、前記振動計測手段に振動を計測させる制御手段と、
前記制御手段によって、前記振動計測手段が計測した振動に基づく振動計測値の最大値を記憶する記憶手段と、
前記振動計測手段が計測した振動に基づく振動計測値と、前記記憶手段により記憶された振動計測値の最大値と、を前記表示部にて表示する振動計測値表示制御手段と、
振動計測値と当該振動警報装置の設置場所としての相応しさを示す設置環境レベルとを対応付けたレベル判定用データを記憶するレベル判定用データ記憶手段と、
前記記憶手段により記憶された振動計測値の最大値と、前記レベル判定用データの振動値とを比較して、設置環境レベルを判定する判定手段と、
前記判定手段により判定された設置環境レベルを前記表示部に表示する設置環境レベル表示制御手段と、
を備えることを特徴とする。
【０００８】
請求項２に記載の発明は、請求項１記載の振動警報装置において、当該振動警報装置が起動した後、所定時間、前記振動計測手段に振動を計測させる計測スイッチと、前記制御手段は、前記計測スイッチの押下に応じて、所定時間、前記振動計測手段に振動を計測させ、前記計測スイッチが押下された後、前記振動計測手段が振動を計測する度に前記記憶手段に記憶された振動計測値の最大値と比較して、当該振動計測値が最大値を超えた場合には前記記憶手段の最大値を更新する更新手段と、を備えることを特徴とする。
【０００９】
請求項３に記載の発明は、請求項１又は２記載の振動警報装置において、前記振動計測手段は、振動を電気信号として検出する振動検出器と、前記振動検出器から検出された電気信号を増幅するアンプと、前記アンプにより増幅された信号のうち所定値以下の周波数のみを通過させ出力するローパスフィルタと、前記ローパスフィルタより出力される信号をデジタル化し、振動計測値として出力するＡ／Ｄ変換器と、を含んで構成されており、前記制御手段は、前記アンプにより増幅された信号を、ローパスフィルタを介さないで前記Ａ／Ｄ変換器に出力させることを特徴とする。
【発明の効果】
【００１１】
本発明によると、振動警報装置が起動されると同時に振動が所定時間計測され、その振動に基づく振動計測値（例えば、加速度、計測震度、震度階級、ＳＩ値）の最大値が記憶される。そのため、振動警報装置が起動されると、計測された振動計測値やその振動計測値の最大値がユーザに表示され、ユーザは警報表示すべき振動計測値の閾値としてその値を参酌することが出来るので、振動警報装置が誤観測や誤警報を起こさないように設定することが可能になる。
したがって、ユーザが環境ノイズに対応する機能の存在を知らない、或いは扱いに熟知していない場合であっても、その環境ノイズによる誤観測や誤警報を未然に防止することが可能となる。
【発明を実施するための最良の形態】
【００１２】
以下、図１を参照して本発明に係る振動警報装置について説明する。ただし、発明の範囲は、図示例に限定されない。
【００１３】
図１は振動警報装置１の内部構成を示すブロック図である。振動警報装置１は、水平動方向（Ｘ方向、Ｙ方向）、上下動方向（Ｚ方向）の振動を検出する振動検出器２ａ、２ｂ、２ｃと、振動検出器２ａ、２ｂ、２ｃにより検出された信号を増幅するアンプ３ａ、３ｂ、３ｃと、所定の周波数帯域の信号をフィルタリングするローパスフィルタ４ａ、４ｂ、４ｃと、アナログ信号をデジタル信号に変換するＡ／Ｄ変換器５ａ、５ｂ、５ｃと、所定の警報表示などを行う表示部６と、振動警報装置１全体の制御を行う制御部７と、時刻を計時する計時部８と、記憶部９と、振動警報装置１をユーザが入力操作するための入力操作部１０と、などを備えて構成される。
【００１４】
振動検出器２ａ、２ｂ、２ｃは、上下動と水平動とを含む振動を検出し、検出した振動（例えば、加速度）に比例した電気信号（アナログ信号）を、検出信号（加速度信号）として出力する加速度計であり、振動計測手段として機能する。そして、振動検出器２ａ、２ｂ、２ｃは、Ｘ，Ｙ，Ｚ方向の、各３方向の振動の大きさを示す電気信号（アナログ信号）をそれぞれ同期させて検出する。
【００１５】
アンプ３ａ、３ｂ、３ｃは、各振動検出器２ａ、２ｂ、２ｃから常時送信される加速度信号を増幅し、ローパスフィルタ４ａ、４ｂ、４ｃへ出力するアンプであり、振動計測手段として機能する。
ここで、後述の制御プログラム７ｆが実行された場合、アンプ３ａ、３ｂ、３ｃは、ローパスフィルタ４ａ、４ｂ、４ｃを経由せず、直接Ａ／Ｄ変換器５ａ、５ｂ、５ｃに対して増幅した信号を出力することができるように構成されている。
【００１６】
ローパスフィルタ４ａ，４ｂ、４ｃは、所定の周波数帯域の信号、例えば、地震波をフィルタリングして、Ａ／Ｄ変換器５ａ、５ｂ、５ｃへ出力するフィルタであり、振動計測手段として機能する。この地震波の検出は、地震波の特徴である、周波数が低く、かつ振幅の大きい振動波のみを濾波することによって実現する。つまり、モータやファンなどの人工的な要因によって発生する高周波成分の振動を、地震動計測における振動ノイズとして除去することが出来る。
また、アンプ３ａ、３ｂ、３ｃからは、Ｘ方向、Ｙ方向、Ｚ方向の振動に係る増幅された加速度信号が送信されるが、それぞれの信号をフィルタリングして出力する。
【００１７】
Ａ／Ｄ変換器５ａ、５ｂ、５ｃは、ローパスフィルタ４ａ，４ｂ、４ｃによってフィルタリングされたアナログの加速度信号を、デジタルの加速度信号に変換し、制御部７に出力するＡ／Ｄ変換器であり、振動計測手段として機能する。
ここで、後述の制御プログラム７ｆが実行された場合、アンプ３ａ、３ｂ、３ｃによって増幅された加速度信号を、デジタルの加速度信号に変換し、制御部７に出力する。
【００１８】
表示部６は、入力操作部１０を含んで構成されており、例えば、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成され、後述の振動計測プログラム７ｍの実行による加速度信号からデータ処理された計測震度、その計測震度より換算される震度階級、加速度、ＳＩ（Ｓｐｅｃｔｒａｌ Ｉｎｔｅｎｓｉｔｙ）値、又は、警報表示する振動計測値の閾値の設定状態などを表示する。ここで、加速度とＳＩ値は、後述の切り替えスイッチ１０ｄの押下によっていずれか一方を切り替えて表示することが出来る。
具体的に表示部６は、例えば図２に示すように、振動警報装置１の起動状態を示す起動ＬＥＤランプ６ａと、振動警報装置１が何らかの故障状態にあることを示す故障ＬＥＤランプ６ｂと、後述の警報プログラム７ｅで述べるように、計測された振動計測値の種類又は閾値の設定等に応じて、８個のＬＥＤランプの何れか１つ又は複数が同時に点灯し、警報が発生したことを明示する警報表示部６ｃと、現在の日付や時刻を表示する日付時刻表示部６ｄと、検出された振動から算出される計測震度を表示する計測震度表示部６ｅと、その算出された計測震度から換算される震度階級（10段階からなる気象庁震度階級）を表示する震度階級表示部６ｉと、後述の設置環境レベル表示制御プログラム７ｎの実行によって表示される設置環境レベルを、Ａ〜ＥのいずれかのＬＥＤランプの点灯により表示する設置環境レベル表示部６ｆと、警報表示すべき振動計測値が計測されたことを音声出力によりユーザに報知する警報ブザー６ｇと、加速度（単位：Ｇａｌ）又はＳＩ値（単位：ｃｍ／ｓ）を切り替えて表示する加速度／ＳＩ値表示部６ｈと、等から構成されている。
なお、計測震度表示部６ｅと加速度／ＳＩ値表示部６ｈは、それぞれの振動計測値（計測震度、加速度／ＳＩ値）の最大値を表示することが可能であり、振動警報装置１が起動し、後述の制御プログラム７ｆの実行による所定時間の振動計測がなされた後は、その所定時間における振動計測値の最大値が表示される。そして、後述の計測スイッチ１０ｅがユーザによって押下された場合、制御プログラム７ｆの実行により再度所定時間の振動計測がなされ、後述の更新プログラム７ｈの実行により各振動計測値の最大値が更新された場合、その更新された各振動計測値の最大値が表示されるようになっている。
【００１９】
入力操作部１０は、例えば図２に示すように、振動警報装置１の電源切り替え用の電源スイッチ１０ａと、計測した振動計測値の記憶を行う記憶スイッチ１０ｂと、警報表示するそれぞれの振動計測値の閾値を設定する閾値設定ボタン１０ｃと、加速度とＳＩ値の表示を切り替える切り替えスイッチ１０ｄ、環境ノイズの計測を警報表示装置１が起動した後に再度実行する計測スイッチ１０ｅなどを備えて構成されており、ユーザが当該スイッチやボタンを操作することにより生成される入力操作信号を制御部７に対して出力する。
【００２０】
制御部７は、ＣＰＵ（Central Processing Unit）７ａと、ＲＡＭ（Random Access Memory）７ｂと、ＲＯＭ（Read Only Memory）７ｃ等を備えて構成されている。
【００２１】
ＣＰＵ７ａは、ＲＯＭ７ｃに格納されている各種プログラム等を実行して、処理データをＲＡＭ７ｂ内のワークメモリエリアに格納するとともに、処理データを表示部６に表示させる。
ここで、処理データとしては、例えば、加速度信号から算出した振動計測値（加速度、ＳＩ値、計測震度、震度階級）や、その各振動計測値の最大値等がある。
【００２２】
ＲＡＭ７ｂは、Ａ／Ｄ変換器５ａ、５ｂ、５ｃ等を介して振動検出器２ａ、２ｂ、２ｃから出力される加速度を格納するリングバッファや、データ処理等の各種処理に係る各種データを格納するメモリエリアを形成している。
また、ＲＡＭ７ｂは、後述の制御プログラム７ｆの実行により、所定時間の振動計測を行い、その間の振動計測値の最大値をホールドするのに用いられ、記憶手段として機能する。
【００２３】
ＲＯＭ７ｃは、振動警報装置１が静止状態から起動状態に変化した直後にＣＰＵ７ａによって実行される各種データ処理プログラムの他、データ処理プログラムに係る各種初期設定値等を格納する。
具体的には、ＲＯＭ７ｃは、振動計測プログラム７ｍと、警報表示閾値設定プログラム７ｄと、判断プログラム７ｌと、警報プログラム７ｅと、制御プログラム７ｆと、更新プログラム７ｈと、振動計測値表示制御プログラム７ｉと、判定プログラム７ｋと、設置環境レベル表示制御プログラム７ｎと、等を格納する。
【００２４】
振動計測プログラム７ｍは、検出される振動に基づいて、表示部６にて表示する所定のデータを作成する機能をＣＰＵ７ａに実現させるプログラムである。
つまり、ＣＰＵ７ａは、振動計測プログラム７ｍを実行することにより、Ａ／Ｄ変換器５ａ、５ｂ、５ｃから出力される加速度信号より、各振動計測値の算出を行う振動計測手段として機能する。
【００２５】
警報表示閾値設定プログラム７ｄは、所定の閾値以上の振動計測値を計測した場合に、警報表示に表示切り替えを行う振動警報装置１において、その閾値を設定する機能をＣＰＵ７ａに実現させるプログラムである。
つまり、ＣＰＵ７ａは、警報表示閾値設定プログラム７ｄを実行することにより、表示部６における表示態様が、通常の表示から警報表示に切り替わるための振動計測値の条件として、例えば、振動計測プログラム７ｍの実行によって得られる振動計測値を上回る所定の閾値を、入力操作部１０を介してユーザが設定する設定手段として機能する。
【００２６】
判断プログラム７ｌは、振動検出器２ａ、２ｂ、２ｃにおいて検出される振動に基づく振動計測値が、警報表示すべき振動計測値の閾値を上回るか否かを判断する機能をＣＰＵ７ａに実現させるプログラムである。
つまり、ＣＰＵ７ａは判断プログラム７ｌを実行することにより、警報表示閾値設定プログラム７ｄにおいて設定された、振動計測値の閾値と、振動計測プログラム７ｍの実行により取得される振動計測値を比較し、振動計測値の閾値を上回るか否かを判断する判断手段として機能する。
【００２７】
警報プログラム７ｅは、判断プログラム７ｌの実行によって、振動計測値が警報表示すべき振動計測値の閾値を上回ったと判断した場合に、警告報知を行う機能をＣＰＵ７ａに実現させるプログラムである。
つまり、ＣＰＵ７ａは、警報プログラム７ｅを実行することにより、判断プログラム７ｌの実行によって、振動計測プログラム７ｍの実行により取得される振動計測値が、警報表示すべき振動計測値の閾値を上回ったと判断した場合に、表示部６における表示態様を、通常の表示から警報表示に切り替えて、ユーザに警告報知を行う警報手段として機能する。
ここで警報表示とは、例えば、表示部６に表示される文字色を通常時は白色表示とし、振動計測値の閾値を上回った場合に、他の色（例えば、赤色）に表示切り替えしてもよいし、また、所定の条件となった場合に点滅表示するようにしてもよく、振動計測値が所定の条件となったことをユーザが視認可能な態様であればよい。また、警報表示する方法は、例えば、ＬＥＤ表示や液晶表示などであるが、これ以外にも電球を用いた表示など、視認可能な表示方法であればどのような方法であってもよいし、振動警報装置１にスピーカ等の音声出力手段を備え、警報音を出力させることによってユーザに警告する態様であっても良い。
具体的には、例えば、図２の警報表示部６ｃに示されるように、ＣＰＵ７ａが警報プログラム７ｅを実行すると、計測された振動計測値が振動計測値の閾値を上回った時点で、ＬＥＤランプが点灯し、更に警報ブザー６ｇにより警報音が出力される。
ここで、例えば、８個のＬＥＤランプ（ＬＥＤランプ１〜ＬＥＤランプ８）は、それぞれのＬＥＤランプについて、振動計測値の種類と閾値が設定可能であり、その設定した振動計測値の種類に応じた色が点灯する。つまり、例えば、ＬＥＤランプ１を加速度とし、その加速度について設定した閾値を、計測された振動計測値が上回った場合に、ＬＥＤランプ１は赤色に点灯する。同様に、ＬＥＤランプ２、ＬＥＤランプ３をそれぞれ計測震度、ＳＩ値とし、それぞれについて設定した閾値を上回った場合に、ＬＥＤランプ２が緑色、ＬＥＤランプ３が青色、等のように点灯する。すなわち、計測された各振動計測値のいずれか１つ又は複数が、各ＬＥＤランプについて設定された振動計測値の種類に応じた閾値を上回ると、１又は複数のＬＥＤランプが点灯するので、ユーザは警報表示された要因（いずれの振動計測値が閾値を上回ったか）を把握することが出来、振動警報装置１の設置環境や利用態様に応じて所定の警報表示された要因を認識することが出来る。
【００２８】
制御プログラム７ｆは、振動警報装置１が起動した場合、又は計測スイッチ１０ｅが押下された場合に、振動計測プログラム７ｍの実行により、起動時又は押下時より所定時間振動を計測する機能をＣＰＵ７ａに実現させるプログラムである。
つまり、ＣＰＵ７ａは、ユーザが振動警報装置１を起動又は計測スイッチ１０ｅを押下し、起動信号又は計測スイッチ１０ｅの押下信号を受信すると、制御プログラム７ｆを実行することにより、計時部８により計時を開始し、所定時間（例えば、５分間程度）が経過するまで、振動検出器２ａ、２ｂ、２ｃと、アンプ３ａ、３ｂ、３ｃと、Ａ／Ｄ変換器５ａ、５ｂ、５ｃと、によって加速度信号を取得し、そして、振動計測プログラム７ｍを実行することで、その加速度信号より各振動計測値を算出し、さらに、所定時間経過後に、その所定時間内の振動計測値の最大値を取得する制御手段として機能する。この所定時間内の振動計測値の最大値は、Ａ／Ｄ変換器５ａ、５ｂ、５ｃが変換するごとに算出される各振動計測値が上述のＲＡＭ７ｂに記憶されているそれまでの最大値と比較され、もし大きければその値と置き換えることで、常に最大値が上述のＲＡＭ７ｂに記憶されることで取得できる。
ここで、ＣＰＵ７ａは、この制御プログラム７ｆを実行することにより、振動検出器２ａ、２ｂ、２ｃにより検出される振動がローパスフィルタ４ａ、４ｂ、４ｃを介さないで、アンプ３ａ、３ｂ、３ｃによって増幅された信号が直接Ａ／Ｄ変換器５ａ、５ｂ、５ｃに入力されるように制御している。
なお、制御プログラム７ｆは、Ａ／Ｄ変換器５ａ、５ｂ、５ｃから出力される加速度信号に対して、周波数分析（ＦＦＴ）を実行し、その結果を記憶部９に記憶又は振動警報装置１に接続された外部機器（例えば、プリンタ等）に出力するようにしてもよい。これにより、ローパスフィルタ４ａ、４ｂ、４ｃを介さないでＡ／Ｄ変換器５ａ、５ｂ、５ｃから出力される加速度信号が、地震波（低周波）の領域の周波数信号であるか、環境ノイズ等の高周波領域の周波数信号であるかを判断することが出来るので、より正確な環境ノイズの把握が可能となる。
【００２９】
更新プログラム７ｈは、制御プログラム７ｆの実行後に得られる所定時間の振動計測値の最大値を、記憶部９に記憶されている最大値（前回までの振動計測における所定時間の振動計測値の最大値）と比較し、当該振動計測値の最大値が記憶部９に記憶されている最大値を上回る場合には、当該振動計測値の最大値が新たな最大値となるように記憶部９を更新記憶する機能をＣＰＵ７ａに実現させるプログラムである。
つまり、ＣＰＵ７ａは、更新プログラム７ｈを実行することにより、振動警報装置１が起動後、制御プログラム７ｆの実行により最初に得られた振動計測値の最大値は、比較対象が存在しないため、当初の振動計測値の最大値として記憶部９に記憶する。その後、ユーザによって計測スイッチ１０ｅが押下され、再度、制御プログラム７ｆの実行による所定時間の振動計測値の最大値が取得されるたびに、その取得した振動計測値の最大値と記憶部９に記憶された最大値を比較する。そして、取得した振動計測値の最大値が記憶部９に記憶された最大値を上回る場合は、その取得した振動計測値の最大値を新たな最大値として記憶部９に上書きして記憶する更新手段として機能する。
【００３０】
振動計測値表示制御プログラム７ｉは、制御プログラム７ｆの実行により取得した振動計測値と、記憶部９に記憶された振動計測値の最大値と、を表示部６において表示する機能をＣＰＵ７ａに実現させるプログラムである。
つまり、ＣＰＵ７ａは、振動計測値表示制御プログラム７ｉを実行することにより、例えば、制御プログラム７ｆにより計測された各振動計測値、そして、記憶部９に記憶された振動計測値の最大値を、表示部６に表示する振動計測値表示制御手段として機能する。
また、ＣＰＵ７ａは、振動計測値表示制御プログラム７ｉの実行によって、入力操作部１０の切り替えスイッチ１０ｄがユーザに押下されると、それに応じて加速度とＳＩ値の何れか一方の値に切り替えて表示する制御を行う。また、振動計測値表示制御プログラム７ｉを実行した場合、制御プログラム７ｆの実行により取得した各振動計測値（環境ノイズ）を表示するのみならず、本来の地震動による振動計測値やその最大値を表示する制御もなされる。
【００３１】
判定プログラム７ｋは、更新プログラム７ｈにより記憶された振動計測値の最大値と、記憶部９に記憶されたレベル判定用データ９ａの振動計測値とを比較し、設置環境レベルを判定する機能をＣＰＵ７ａに実現させるプログラムである。
つまり、ＣＰＵ７ａは、判定プログラム７ｋを実行することにより、計測された振動計測値の最大値が、記憶部９に記憶されているレベル判定用データ９ａの振動計測値と比較され、計測された振動計測値の最大値が、どのような設置環境レベルにあるかを判定する判定手段として機能する。
【００３２】
設置環境レベル表示制御プログラム７ｎは、判定プログラム７ｋにより判定した設置環境レベルを表示部６に表示する機能をＣＰＵ７ａに実現させるプログラムである。
つまり、ＣＰＵ７ａは、設置環境レベル表示制御プログラム７ｎを実行することにより、現在振動警報装置が設置されている場所の設置環境レベルを、表示部６に表示する表示制御手段として機能する。ここで、設置環境レベルは、例えばＡ〜Ｅまでの５段階から構成され、Ｃ以上を可とするものであり、この設置環境レベルを表示部６を介してユーザが知ることにより、どの程度の環境ノイズであれば振動警報装置１の設置場所として相応しいといえるか、の指標として利用することが出来る。
具体的には、ＣＰＵ７ａが設置環境レベル表示制御プログラム７ｎを実行することにより、図２の設置環境レベル表示部６ｆにおいて、Ａ〜ＥのいずれかのＬＥＤランプが点灯するので、ユーザは振動計測装置１の設置環境レベルを把握することが出来る。
【００３３】
計時部８は、現在時刻を計時し、その計時した時刻を、制御部７に対して出力する。この制御部７に出力された現在時刻は、図２の表示部６の日付時刻表示部６ｄを介して表示される。
【００３４】
記憶部９は、処理データを記憶するための記憶媒体（図示省略）を有して構成されている。具体的には、例えば、記憶媒体には、振動計測値の閾値データ、振動警報装置１の所定の設定値データ、などが記憶される。また、記憶部９は、各振動計測値の最大値やレベル判定用データ９ａを記憶しており、記憶手段やレベル判定用データ記憶手段として機能する。
ここで、レベル判定用データ９ａは、各振動計測値と振動警報装置の設置環境レベルを対応付けたデータであり、例えば、環境ノイズとしての加速度やＳＩ値、計測震度や震度階級と、それに応じた数段階からなるレベル（例えば、Ａ〜Ｅまでの５段階から構成され、Ｃ以上を可とする）が記憶されており、振動警報装置の設置場所としての相応しさ（設置環境レベル）を評価付けたものである。
なお、突発的な振動やノイズ等により、予期に反した大きな振動計測値の最大値が記憶部９に記憶される可能性を考慮し、電源スイッチ１０ａの押下により、又は、図示しないリセットスイッチの押下により、記憶部９に記憶された振動計測値の最大値は、リセットすることが可能になっている。
【００３５】
＜環境ノイズ計測処理＞
次に、振動警報装置１における、環境ノイズ計測処理について、図３のフローチャートを参照して説明する。前提として、ＣＰＵ７ａは、レベル判定用データ９ａが記憶部９に記憶されているものとする。
【００３６】
まず、ユーザが振動警報装置１を所定の位置に設置し、振動警報装置１が起動された、又は計測スイッチ１０ｅが押下された場合、起動信号又は計測スイッチ１０ｅの押下信号がＣＰＵ７ａに入力される（ステップＳ１）。
【００３７】
次いで、ＣＰＵ７ａは、起動信号又は押下信号が入力されると、制御プログラム７ｆを実行し、計時部８により計時を開始する（ステップＳ２）。
【００３８】
次いで、ＣＰＵ７ａは、制御プログラム７ｆの実行によって、振動検出器２ａ、２ｂ、２ｃと、アンプ３ａ、３ｂ、３ｃと、Ａ／Ｄ変換器５ａ、５ｂ、５ｃと、によって振動を計測させ、さらに、振動計測プログラム７ｍを実行させ、その振動に基づく振動計測値を算出する（ステップＳ３）。
【００３９】
次いで、ＣＰＵ７ａは、振動計測値表示制御プログラム７ｉを実行することにより、各振動計測値を表示部６に表示させる（ステップＳ４）。
【００４０】
次いで、ＣＰＵ７ａは、ステップＳ２にて計時を開始した時より所定時間が経過したか否かを判断する（ステップＳ５）。所定時間が経過していない場合は（ステップＳ５；Ｎｏ）、ステップＳ３以降の処理を繰り返し実行する。
【００４１】
次いで、ＣＰＵ７ａは、ステップＳ５において所定時間が経過したと判断した場合（ステップＳ５；Ｙｅｓ）、更新プログラム７ｈの実行により、所定時間で取得した振動計測値の最大値と記憶部９に記憶された振動計測値の最大値を比較し、記憶部９に記憶されている最大値を上回る場合には、当該振動計測値の最大値が新たな最大値となるように記憶部９を更新する（ステップＳ６）。なお、ＣＰＵ７ａが起動信号を受信した際の振動計測においては、各振動計測値の最大値は記憶部９に存在しないため、比較されること無くそのまま記憶部９に記憶される。
【００４２】
次いで、ＣＰＵ７ａは、判定プログラム７ｋを実行することにより、記憶部９に記憶された振動計測値の最大値と、レベル判定用データ７ａに記憶された振動計測値の比較を行い、設置環境レベルの判定を行う（ステップＳ７）。
【００４３】
次いで、ＣＰＵ７ａは、振動計測値表示制御プログラム７ｉ及び設置環境レベル表示制御プログラム７ｎを実行することにより、記憶部９に記憶された振動計測値の最大値と、ステップＳ７において判定された設置環境レベルを表示部６に表示する（ステップＳ８）。
【００４４】
次いで、ＣＰＵ７ａは、ユーザが計測スイッチ１０ｅを押下しないと判断した場合（ステップＳ９；Ｎｏ）、警報表示閾値設定プログラム７ｄを実行することにより、入力操作部１０を介して、ユーザに加速度、ＳＩ値、計測震度、震度階級等からなる警報表示の閾値を設定させる（ステップＳ９）。
【００４５】
以上のように、本発明にかかる振動警報装置１は、振動警報装置１が設置されて起動されると、所定時間振動を計測し、その振動計測値としての加速度、ＳＩ値、計測震度、震度階級、又はそれらの最大値を表示部６に表示するので、ユーザは警報表示の閾値を設定する上で、その表示された値を判断材料として利用することが出来る。
したがって、ユーザが環境ノイズに対応する機能の存在を知らない、或いは扱いに熟知していない場合であっても、その環境ノイズによる誤観測や誤警報を未然に防止することが可能となる。
【００４６】
また、振動警報装置１の起動時の環境ノイズ計測がなされた後に、ユーザが計測スイッチを押下することにより、再度の環境ノイズ計測を実行することが出来る。そして、環境ノイズ計測における振動計測値の最大値は、振動が計測される度に逐次その値を更新することが出来る。
【００４７】
つまり、振動警報装置１の起動時の環境ノイズ計測がなされた後に、ユーザは更なる環境ノイズ計測の実行を選択することが出来る。また、各振動計測値の最大値を逐次更新していくことにより、ユーザは閾値を設定する上での好適な判断材料を取得出来ることとなり、環境ノイズによる誤観測や誤警報を未然に防止することが可能となる。
【００４８】
また、振動警報装置１の環境ノイズ計測において検出された振動は、ローパスフィルタを介さないで出力することが出来る。
【００４９】
つまり、ローパスフィルタを介さない振動計測値を取得することにより、微細な環境ノイズをも余すところ無く計測することにより、より確実に環境ノイズによる誤観測や誤警報を未然に防止することが可能となる。
【００５０】
また、振動警報装置１は、振動警報装置１の環境ノイズ計測後に、その振動計測値の最大値に応じた設置環境レベルを表示部６に表示するので、ユーザは振動警報装置１の設置場所としての適否を判断する上で、その表示されたレベルを判断材料として利用することが出来る。
【００５１】
つまり、ユーザは、設置環境レベルによって、警報表示装置１が設置されている場所の、設置場所としての適否の目安を取得することが出来るので、警報表示装置１の設置場所の再検討や、事後の警報表示装置１の設置場所を選定する際の知識とすることが出来る。
【００５２】
なお、本発明にかかる判断手段は、ＣＰＵ７ａが警報表示閾値設定プログラム７ｄを実行し、ユーザが設定した警報表示すべき閾値に基づいて判断するものとしたが、本発明はこれに限定されるものではなく、更新プログラム７ｈにより更新記憶された、所定時間経過後の振動計測値の最大値に基づいて、警報表示すべき閾値（例えば、最大値×１．２倍）を自動的に設定するものであってもよい。
これによって、警報表示すべき閾値の設定に不慣れなユーザや、微動記録機能やメンテナンス機能を熟知していないユーザにとって、設定の手間や労力を省くこと出来る。
【図面の簡単な説明】
【００５３】
【図１】本発明にかかる振動警報装置の要部構成を示すブロック図である。
【図２】本発明にかかる振動警報装置の表示部を示す図である。
【図３】本発明における環境ノイズ計測処理の実行による動作を説明するためのフローチャートである。
【符号の説明】
【００５４】
１            振動警報装置
２ａ，２ｂ，２ｃ          Ｘ，Ｙ，Ｚ方向の振動検出器（振動計測手段）
３ａ，３ｂ，３ｃ          Ｘ，Ｙ，Ｚ方向のアンプ（振動計測手段）
４ａ，４ｂ，４ｃ          Ｘ，Ｙ，Ｚ方向のローパスフィルタ（振動計測手段）
５ａ，５ｂ，５ｃ          Ｘ，Ｙ，Ｚ方向のＡ／Ｄ変換器（振動計測手段）
６            表示部
７ａ          ＣＰＵ（振動計測手段、警報手段、制御手段、更新手段、振動計測値表示制御手段、判定手段、判断手段、設置環境レベル表示制御手段）
７ｂ          ＲＡＭ（記憶手段）
７ｃ          ＲＯＭ
７ｅ          警報プログラム（警報手段）
７ｆ          制御プログラム（制御手段）
７ｈ          更新プログラム（更新手段）
７ｉ          振動計測値表示制御プログラム（振動計測値表示制御手段）
７ｋ          判定プログラム（判定手段）
７ｌ          判断プログラム（判断手段）
７ｍ          振動計測プログラム（振動計測手段）
７ｎ          設置環境レベル表示制御プログラム（設置環境レベル表示制御手段）
９            記憶部（レベル判定用データ記憶手段、記憶手段）
１０ｅ        計測スイッチ
【図１】
0005102047.tif 000002
【図２】
0005102047.tif 000003
【図３】
0005102047.tif 000004